(57)【要約】      （修正有）【課題】撮影前に、撮影光量変更後の画像を確認することのできる眼科撮影装置の提供。【解決手段】被検眼眼底を可視光で照明する可視照明手段と、可視照明手段により照明された眼底像を撮像する可視像撮像手段と、可視照明手段の照明光量を変更する可視照明光量変更手段と、被検眼眼底を赤外光で照明する赤外照明手段と、赤外照明手段により照明された眼底像を撮像する赤外像撮像手段と、赤外照明手段の照明光量を、可視照明光量変更手段による変更内容に基づいて変更する赤外照明光量変更手段を有する。撮影光量の変更とともに赤外観察光量も同程度の光量となるよう変更するように構成したので、実際の撮影を行うことなく、現在の撮影光量値で撮影された場合の光量に関する良否を判断でき、迅速かつ、被検者の負担を軽減できる。【選択図】図１
2005261449.tif 000002
【特許請求の範囲】
【請求項１】
被検眼眼底を可視光で照明する可視照明手段と、該可視照明手段により照明された眼底像を撮像する可視像撮像手段と、前記可視照明手段の照明光量を変更する可視照明光量変更手段と、前記被検眼眼底を赤外光で照明する赤外照明手段と、該赤外照明手段により照明された眼底像を撮像する赤外像撮像手段と、前記赤外照明手段の照明光量を、前記可視照明光量変更手段による変更内容に基づいて変更する赤外照明光量変更手段を有することを特徴とする眼科撮影装置。
【請求項２】
前記赤外照明光量変更手段は、前記赤外像撮像手段により撮像された赤外像が、前記可視照明光量変更手段により変更された可視照明に基づいて前記可視像撮像手段により撮像された可視眼底像と同等の光量分布となるよう制御することを特徴とする請求項１記載の眼科撮影装置。
【発明の詳細な説明】
【技術分野】
【０００１】
本発明は、健康診断等で使用される、被検眼の赤外観察が可能な眼科撮影装置に関する。
【背景技術】
【０００２】
成人病健診や人間ドックなどでは、主として糖尿病や高血圧症等の全身疾患の有無の検査のため、眼底撮影が行われている。
【０００３】
このような健康診断における眼底撮影においては、暗所において被検眼を自然散瞳させる無散瞳方式による撮影方法が一般的である。
【０００４】
無散瞳方式の眼底カメラでは、位置合わせや撮影部位の特定のための被検眼眼底観察においては、赤外光を用い被検眼瞳孔が縮瞳しないように構成され、撮影時においては可視のストロボ光を用いて眼底撮影が行われる。
【０００５】
一般に眼底の反射程度は人種や年齢などに基づく個人差があるため、必要に応じて撮影時の光量補正を行っている。
【０００６】
特開平０８−０３３６１１にはこの光量補正を実施する際、眼底画像を撮像する媒体により光量を変更する構成が開示されている。
【０００７】
また、特登録０３１２８２７１では、撮影光量の基準値を明るめ、暗めに設定可能な構成されている。
【特許文献１】特開平０８−０３３６１１
【特許文献２】特登録０３１２８２７１
【発明の開示】
【発明が解決しようとする課題】
【０００８】
従来は撮影光量補正を行う場合、どの程度変更するかの程度は、赤外観察像から撮影者の経験により判断、または、実際に撮影を行い、この撮影画像から判断して決めていた。
【０００９】
従って、何度かの試行錯誤が必要となり、被検者に対する複数回撮影の負担を強いるばかりでなく、撮影者についても１回の撮影に多大な時間を要していた。
【００１０】
本発明の目的は、上述の問題点を解消し、撮影前に、撮影光量変更後の画像を確認することが可能な眼科撮影装置を提供することにある。
【課題を解決するための手段】
【００１１】
上記目的を達成するための本発明に係る眼科撮影装置は、被検眼眼底を可視光で照明する可視照明手段と、該可視照明手段により照明された眼底像を撮像する可視像撮像手段と、前記可視照明手段の照明光量を変更する可視照明光量変更手段と、前記被検眼眼底を赤外光で照明する赤外照明手段と、該赤外照明手段により照明された眼底像を撮像する赤外像撮像手段と、前記赤外照明手段の照明光量を、前記可視照明光量変更手段による変更内容に基づいて変更する赤外照明光量変更手段を有する。
【発明の効果】
【００１２】
以上説明したように、本発明に係る眼科撮影装置においては、撮影光量の変更とともに赤外観察光量も同程度の光量となるよう変更するように構成したので、実際の撮影を行うことなく、現在の撮影光量値で撮影された場合の光量に関する良否を判断でき、迅速かつ、被検者の負担を軽減できる効果がある。
【発明を実施するための最良の形態】
【００１３】
本発明を図１〜図４に図示の装置構成図及びフローチャートを用いて詳細に説明する。
【００１４】
（実施例）
図１は実施例の装置構成図を示し、１はランプ等の観察／アライメント用光源、２は赤外光を透過する可視カットフィルター、３はコンデンサーレンズ、４はストロボ光源等の静止画撮影用光源、５はリレーレンズ、６は穴あきミラー、Ｅは被検眼、７は対物レンズ、８は前眼部観察に光路内に挿入される前眼部観察レンズ、９は合焦機能を有するレンズ系、１０は図面における右端を軸に左側が上に跳ね上がる跳ね上げミラー、１１は撮影用センサーユニット、１２はレンズ、１３は観察用センサーユニット、１４は観察画像用モニタ、１５は撮影画像表示用モニタ、１６は撮影光量変更スイッチ、１７は撮影光量変更スイッチ１６の入力に基づいて、光源４の光量を制御する静止画撮影用光源制御部、１８は撮影光量変更スイッチ１６の入力に基づいて、光源１の光量を制御する観察光源制御部である。
【００１５】
図示しない電源スイッチの操作により、通電されると、図示しない駆動制御部の制御により前眼部観察／撮影用レンズ８が光路に挿入される。また、前眼部を照明するための図示しない赤外光源から発せられた赤外光により、被検眼Ｅの前眼部が照明され、前眼部からの反射光は、対物レンズ７を通り、前眼部観察レンズ８、穴あきミラー６の穴部、レンズ系９を経て、跳ね上げミラー１０により反射され、レンズ１２を経由して観察用センサーユニット１３へ導かれる。観察用センサーユニット１３で光電変換された前眼部観察画像は観察画像用モニタ１４上に映出される。
【００１６】
撮影者は、観察画像用モニタ１５上の前眼部観察像を用いて、対物レンズを含む図示しない光学ユニットを移動させ、被検眼前眼部の位置合わせを行う（ステップ１）。
【００１７】
被検眼前眼部の位置合わせ等が終了したら、図示しない前眼部／眼底部切換えスイッチを押下する（ステップ２）。
【００１８】
これにより図示しない駆動制御部の制御により、前眼部観察レンズ８が光路から離脱し、さらに観察／アライメント用光源１が点灯する。
【００１９】
観察／アライメント用光源１から発せられた照明光は、可視カットフィルター２により、赤外域のみの波長を持つ光に変換された後、コンデンサーレンズ３、リレーレンズ５を経由して穴あきミラー６のミラー部で反射され、対物レンズ７を通って、被検眼Ｅの眼底部を照明する。眼底部からの反射光は再び対物レンズ７を通り、穴あきミラー６の穴部、レンズ系９を経て、跳ね上げミラー１０により反射され、レンズ１２を経由して観察用センサーユニット１３へ導かれる。観察用センサーユニット１３で光電変換された眼底部観察画像は観察画像用モニタ１４上に映出される。
【００２０】
観察画像用モニタ１４に表示される眼底部観察画像を用いて、被検眼眼底部の撮影部位について位置合わせ、ピント調整を行う（ステップ３）。
【００２１】
被検眼眼底部の位置合わせ等が終了すると、観察画像用モニタ１４に表示される眼底部観察画像における撮影部位の状態により、撮影光量の変更を行うか否かを判断する（ステップ４）。
【００２２】
撮影光量の変更を行う場合には、撮影光量変更スイッチ１６により撮影光量の変更を行う（ステップ５）。
【００２３】
具体的には撮影光量変更スイッチ１６は「＋補正」、「−補正」等の切換えが可能なスイッチで構成されており、撮影者が「＋補正」を選択した場合には、撮影光量が大きく（静止画撮影用光源４が明るく点灯）、「−補正」が選択された場合には、撮影光量が小さく（静止画撮影用光源４が暗く点灯）なるよう静止画撮影用光源制御部１７に指示される。
【００２４】
これを受けて静止画撮影用光源制御部１７では、対応する光量で静止画撮影用光源４が撮影時に点灯するよう制御を行う。
【００２５】
ここでは、撮影光量変更スイッチ１６による撮影光量の変更が、「＋補正」「−補正」の場合を例に挙げて説明したが、これに限ることなく、「光量１」「光量２」・・・「光量Ｎ」（Ｎは任意の数字）等の予め設定されている光量値を選択設定するように構成しても良い。
【００２６】
撮影光量変更スイッチ１６による光量変更指示は観察光源制御部１８にもなされ、観察光源制御部１８では指示内容に基づいて、観察／アライメント用光源１の光量を変更する（ステップ６）。
【００２７】
観察光源制御部１８では、被検眼の赤外眼底観察画像が、撮影光量変更スイッチ１６による光量変更指示により変更された撮影光量で撮影された静止画眼底像と同程度の光量分布になるよう制御がなされる。
【００２８】
上記「静止画眼底像と同程度の光量分布」とするため、観察光源制御部１８内の図示しないメモリには、図３に示す観察光量変換テーブルが予め設定されている。このテーブルには過去の経験を元に算出された、「静止画眼底像と同程度の光量分布」になる数値が記憶されている。
【００２９】
具体的には、撮影光量変更時と同様に、撮影光量変更スイッチ１６の操作に従って、例えば「＋補正」、「−補正」が行われた場合、まず、観察光源制御部１８内の図示しないメモリに記憶されている、図３に示す観察光量変換テーブルに従って観察光量が算出される。図３の例では「＋補正」がなされると、観察光量値が現在値に対し１０加算され、これにより静止画眼底像と同程度の光量分布となる。また、「−補正」の場合には現在値から１０減算され、これにより静止画眼底像と同程度の光量分布となる。
【００３０】
ここでは１０加算、１０減算の場合を例に挙げたが、この数値は赤外眼底観察画像が上記「静止画眼底像と同程度の光量分布」となる任意の数値であればよい。
【００３１】
また、他の実施形態として、観察光量変換テーブルが図４に示す如く、撮影光量値と１対１で対応している場合の例を説明する。
【００３２】
撮影光量変更スイッチ１６の操作で、撮影者により任意の撮影光量値が選択された場合、観察光量変換テーブルに記載の対応する観察光量値を用いて観察光源制御部１８により、光源１の光量が制御される。
【００３３】
例えば、撮影光量変更スイッチ１６により、光量２が選択された場合、観察光源制御部１８では３の光量値が設定され、光源１の発光制御が行われる。
【００３４】
上記説明では、撮影光量変更スイッチ１６による光量変更指示が発生した場合、撮影光量の変更を行った後に観察光量の変更を行うことを例に挙げて説明したが、これに限ることなく、観察光量の変更を行ってから撮影光量の変更を行うように構成しても良い。
【００３５】
観察光量の変更された赤外眼底観察画像は直ちに、観察画像用モニタ１４上に映出されるので、撮影者はこの観察画像を確認し、再度撮影光量の変更必要有無を選択する（ステップ７）。
【００３６】
撮影光量設定が良好であることを確認したら、撮影者は図示しない撮影スイッチを押下し被検眼眼底の撮影を行う（ステップ８）。
【００３７】
まず静止画撮影用光源４が静止画撮影用光源制御部１７の制御に基づいて点灯し、静止画撮影用光源４からの照明光はリレーレンズ５を経由して穴あきミラー６のミラー部で反射され、対物レンズ７を通って、被検眼Ｅの眼底部を照明する。眼底部からの反射光は再び対物レンズ７を通り、穴あきミラー６の穴部、レンズ系９を経て、跳ね上げミラー１０が跳ね上げられることにより、撮影用センサーユニット１１に導かれる。
【００３８】
撮影用センサーユニット１１で結像された被検眼眼底像は、光電変換され、撮影画像表示用モニタ１５上に映出される。
【図面の簡単な説明】
【００３９】
【図１】本発明の装置構成図
【図２】本発明の動作フロー
【図３】観察光量変換テーブルの例
【図４】観察光量変換テーブルの例
【符号の説明】
【００４０】
１  観察／アライメント用光源
２  可視カットフィルター
３  コンデンサーレンズ
４  静止画撮影用光源
５  リレーレンズ
６  穴あきミラー
７  対物レンズ
８  前眼部観察レンズ
９  レンズ系
１０  跳ね上げミラー
１１  撮影用センサーユニット
１２  レンズ
１３  観察用センサーユニット
１４  観察画像用モニタ
１５  撮影画像表示用モニタ
１６  撮影光量変更スイッチ
１７  静止画撮影用光源制御部
１８  観察光源制御部
【図１】
2005261449.tif 000003
【図２】
2005261449.tif 000004
【図３】
2005261449.tif 000005
【図４】
2005261449.tif 000006